(57)【要約】【課題】複数人での電子楽器の演奏を円滑に開始することを可能にする演奏システム、演奏モード設定方法および演奏モード設定装置を提供する。【解決手段】演奏システムは、親機１および子機２を備える。子機２は、一人で演奏可能な第１のモードおよび複数人で演奏可能な第２のモードに設定可能な電子楽器３に設けられ、少なくとも受信機能を有する一または複数の受信器が接続可能な接続部を有するとともに親機１と通信可能である。演奏システムは、接続部に複数の受信器が接続されているか否かを判定する判定部と、接続部に複数の受信器が接続されていると判定された場合に、第２のモードの設定の通知を親機１に送信する送信部とをさらに備える。子機２は、接続部に複数の受信器が接続されていると判定された場合に、電子楽器４を第２のモードに設定する設定部を含む。【選択図】図４
2020118813.tif 000002
【特許請求の範囲】
【請求項１】
親機と、
一人で演奏可能な第１のモードおよび複数人で演奏可能な第２のモードに設定可能な電子楽器に設けられ、少なくとも受信機能を有する一または複数の受信器が接続可能な接続部を有するとともに前記親機と通信可能な子機と、
前記接続部に複数の前記受信器が接続されているか否かを判定する判定部と、
前記接続部に複数の前記受信器が接続されていると判定された場合に、前記第２のモードの設定の通知を前記親機に送信する送信部とを備え、
前記子機は、
前記接続部に複数の前記受信器が接続されていると判定された場合に、前記電子楽器を前記第２のモードに設定する設定部を含む、演奏システム。
【請求項２】
前記電子楽器は、鍵盤を有する鍵盤楽器であり、
前記設定部は、前記第２のモードにおいて前記鍵盤を前記複数人に対応する複数の鍵域に分割する、請求項１記載の演奏システム。
【請求項３】
前記親機は、表示器を有するかまたは表示器に接続可能であり、
前記親機は、
前記送信部により送信された前記第２のモードの設定の通知を受信する受信部と、
前記第２のモードの設定の通知が受信された場合に、前記表示器に前記第２のモードを示す表示を行わせる表示制御部とを含む、請求項１または２記載の演奏システム。
【請求項４】
前記送信部は、前記接続部に１つの前記受信器が接続されたことが前記判定部により判定された場合に、前記第１のモードの設定の通知を前記親機に送信し、
前記受信部は、前記送信部からの前記第１のモードの設定の通知を受信し、
前記表示制御部は、前記第１のモードの設定の通知が受信された場合に前記第１のモードに対応する第１の画像を前記表示器に表示させ、前記第２のモードの設定の通知が受信された場合に前記第２のモードに対応する第２の画像を前記表示器に表示させる、請求項３記載の演奏システム。
【請求項５】
前記第１の画像は一人を表す第１のアイコンを含み、前記第２の画像は複数人を表す第２のアイコンを含む、請求項４記載の演奏システム。
【請求項６】
前記親機は、複数の前記子機と通信可能であり、
前記表示制御部は、前記複数の子機に対応する前記第１または第２の画像を前記表示器に表示させる、請求項４または５記載の演奏システム。
【請求項７】
前記送信部は、前記電子楽器が前記第２のモードに設定された場合に、複数人の各々の行為に起因して発生するデータを前記親機に送信するとともに、送信されるデータの発生元を識別する識別情報を前記親機に送信する、請求項１〜６のいずれか一項に記載の演奏システム。
【請求項８】
コンピュータにより実現される演奏モード設定方法であって、
一人で演奏可能な第１のモードおよび複数人で演奏可能な第２のモードに設定可能な電子楽器に設けられた子機に少なくとも受信機能を有する複数の受信器が接続されているか否かを判定することと、
前記子機に複数の前記受信器が接続されていると判定された場合に、前記電子楽器を前記第２のモードに設定することと、
前記子機に複数の前記受信器が接続されていると判定された場合に、前記第２のモードの設定の通知を前記子機から親機に送信することとを含む、演奏モード設定方法。
【請求項９】
前記電子楽器は、鍵盤を有する鍵盤楽器であり、
前記第２のモードに設定することは、前記第２のモードにおいて前記鍵盤を前記複数人に対応する複数の鍵域に分割することを含む、請求項８記載の演奏モード設定方法。
【請求項１０】
前記親機は、表示器を有するかまたは表示器に接続可能であり、
前記子機から送信された前記第２のモードの設定の通知を前記親機により受信することと、
前記第２のモードの設定の通知が受信された場合に、前記表示器に前記第２のモードを示す表示を行わせることとをさらに含む、請求項８または９記載の演奏モード設定方法。
【請求項１１】
前記子機に１つの前記受信器が接続されていると判定された場合に、前記第１のモードの設定の通知を前記子機から前記親機に送信することと、
前記親機により前記第１のモードの設定の通知が受信された場合に前記第１のモードに対応する第１の画像を前記表示器に表示させ、前記第２のモードの設定の通知が受信された場合に前記第２のモードを示す表示として前記第２のモードに対応する第２の画像を前記表示器に表示させることとをさらに含む、請求項９記載の演奏モード設定方法。
【請求項１２】
前記第１の画像は一人を表す第１のアイコンを含み、前記第２の画像は複数人を表す第２のアイコンを含む、請求項１１記載の演奏モード設定方法。
【請求項１３】
複数の前記子機に対応する前記第１または第２の画像を前記表示器に表示させることを含む、請求項１１または１２記載の演奏モード設定方法。
【請求項１４】
前記電子楽器が前記第２のモードに設定された場合に、前記複数人の各々の行為に起因して発生するデータを前記親機に送信するとともに、送信されるデータの発生元を識別する識別情報を前記親機に送信することをさらに含む、請求項８〜１３のいずれか一項に記載の演奏モード設定方法。
【請求項１５】
一人で演奏可能な第１のモードおよび複数人で演奏可能な第２のモードに設定可能な電子楽器に設けられ、少なくとも受信機能を有する一または複数の受信器が接続可能な接続部と、
前記接続部に複数の前記受信器が接続されているか否かを判定する判定部と、
前記接続部に複数の前記受信器が接続されていると判定された場合に、前記電子楽器を前記第２のモードに設定する設定部とを含む、演奏モード設定装置。
【発明の詳細な説明】
【技術分野】
【０００１】
本発明は、演奏システム、演奏モード設定方法および演奏モード設定装置に関する。
【背景技術】
【０００２】
親機である電子楽器と子機である電子楽器とがケーブル等で接続された電子楽器システムがある。このような電子楽器システムでは、被教習者が各子機を用いて演奏を行い、親機において教習者が各子機の演奏状態を検知する（特許文献１参照）。このような電子楽器システムにおいて、子機の鍵盤が２つの鍵域に分割され、１台の子機が二人以上で演奏される場合がある。
【先行技術文献】
【特許文献】
【０００３】
【特許文献１】特開平３−２１３８９４号
【発明の概要】
【発明が解決しようとする課題】
【０００４】
特許文献１に記載の電子楽器では、モードスイッチを操作することによりノーマルモードとスプリットモードとが切り替えられる。スプリットモードでは、二人の演奏者が鍵盤の２つの鍵域をそれぞれ演奏することができる。このように、特許文献１の電子楽器では、二人の演奏者がスプリットモードで演奏を行う場合には、二人の演奏者のうちいずれかがモードスイッチの操作を行う必要がある。二人の演奏者がモードスイッチの操作を忘れて演奏を始めると、二人の演奏者がノーマルモードで２つの鍵域に分割されていない鍵盤を演奏することになる。その場合、モードスイッチを操作して演奏を再度開始する必要がある。
【０００５】
本発明の目的は、複数人での電子楽器の演奏を円滑に開始することを可能にする演奏システム、演奏モード設定方法および演奏モード設定装置を提供することである。
【課題を解決するための手段】
【０００６】
（１）本発明の一局面に従う演奏システムは、親機と、一人で演奏可能な第１のモードおよび複数人で演奏可能な第２のモードに設定可能な電子楽器に設けられ、少なくとも受信機能を有する一または複数の受信器が接続可能な接続部を有するとともに親機と通信可能な子機と、接続部に複数の受信器が接続されているか否かを判定する判定部と、接続部に複数の受信器が接続されていると判定された場合に、第２のモードの設定の通知を親機に送信する送信部とを備え、子機は、接続部に複数の受信器が接続されていると判定された場合に、電子楽器を第２のモードに設定する設定部を含む。
【０００７】
（２）電子楽器は、鍵盤を有する鍵盤楽器であり、設定部は、第２のモードにおいて鍵盤を複数人に対応する複数の鍵域に分割してもよい。
【０００８】
（３）親機は、表示器を有するかまたは表示器に接続可能であり、親機は、送信部により送信された第２のモードの設定の通知を受信する受信部と、第２のモードの設定の通知が受信された場合に、表示器に第２のモードを示す表示を行わせる表示制御部とを含んでもよい。
【０００９】
（４）送信部は、接続部に１つの受信器が接続されたことが判定部により判定された場合に、第１のモードの設定の通知を親機に送信し、受信部は、送信部からの第１のモードの設定の通知を受信し、表示制御部は、第１のモードの設定の通知が受信された場合に第１のモードに対応する第１の画像を表示器に表示させ、第２のモードの設定の通知が受信された場合に第２のモードに対応する第２の画像を表示器に表示させてもよい。
【００１０】
（５）第１の画像は一人を表す第１のアイコンを含み、第２の画像は複数人を表す第２のアイコンを含んでもよい。
【００１１】
（６）親機は、複数の子機と通信可能であり、表示制御部は、複数の子機に対応する第１または第２の画像を表示器に表示させてもよい。
【００１２】
（７）送信部は、電子楽器が第２のモードに設定された場合に、複数人の各々の行為に起因して発生するデータを親機に送信するとともに、送信されるデータの発生元を識別する識別情報を親機に送信してもよい。
【００１３】
（８）本発明の他の局面に従う演奏モード設定方法は、コンピュータにより実現される演奏モード設定方法であって、一人で演奏可能な第１のモードおよび複数人で演奏可能な第２のモードに設定可能な電子楽器に設けられた子機に少なくとも受信機能を有する複数の受信器が接続されているか否かを判定することと、子機に複数の受信器が接続されていると判定された場合に、電子楽器を第２のモードに設定することと、子機に複数の受信器が接続されていると判定された場合に、第２のモードの設定の通知を子機から親機に送信することとを含む。
【００１４】
（９）電子楽器は、鍵盤を有する鍵盤楽器であり、第２のモードに設定することは、第２のモードにおいて鍵盤を複数人に対応する複数の鍵域に分割することを含んでもよい。
【００１５】
（１０）親機は、表示器を有するかまたは表示器に接続可能であり、子機から送信された第２のモードの設定の通知を親機により受信することと、第２のモードの設定の通知が受信された場合に、表示器に第２のモードを示す表示を行わせることとをさらに含んでもよい。
【００１６】
（１１）演奏モード設定方法は、子機に１つの受信器が接続されていると判定された場合に、第１のモードの設定の通知を子機から親機に送信することと、親機により第１のモードの設定の通知が受信された場合に第１のモードに対応する第１の画像を表示器に表示させ、第２のモードの設定の通知が受信された場合に第２のモードを示す表示として第２のモードに対応する第２の画像を表示器に表示させることとをさらに含んでもよい。
【００１７】
（１２）第１の画像は一人を表す第１のアイコンを含み、第２の画像は複数人を表す第２のアイコンを含んでもよい。
【００１８】
（１３）演奏モード設定方法は、複数の子機に対応する第１または第２の画像を表示器に表示させることを含んでもよい。
【００１９】
（１４）演奏モード設定方法は、電子楽器が第２のモードに設定された場合に、複数人の各々の行為に起因して発生するデータを親機に送信するとともに、送信されるデータの発生元を識別する識別情報を親機に送信することをさらに含んでもよい。
【００２０】
（１５）本発明のさらに他の局面に従う演奏モード設定装置は、一人で演奏可能な第１のモードおよび複数人で演奏可能な第２のモードに設定可能な電子楽器に設けられ、少なくとも受信機能を有する一または複数の受信器が接続可能な接続部と、接続部に複数の受信器が接続されているか否かを判定する判定部と、接続部に複数の受信器が接続されていると判定された場合に、電子楽器を第２のモードに設定する設定部とを含む。
【発明の効果】
【００２１】
本発明によれば、複数人での電子楽器の演奏を円滑に開始することが可能になる。
【図面の簡単な説明】
【００２２】
【図１】本発明の一実施の形態に係る演奏システムの構成を示すブロック図である。
【図２】親機および子機の構成を示すブロック図である。
【図３】子機の操作パネルの一部を示す模式図である。
【図４】親機および子機の機能的な構成を示すブロック図である。
【図５】親機の表示器の表示例を示す図である。
【図６】デュオアイコンの拡大図である。
【図７】演奏モード通知データの一例を示す模式図である。
【図８】子機の処理を示すフローチャートである。
【図９】親機の処理を示すフローチャートである。
【発明を実施するための形態】
【００２３】
以下、本発明の実施の形態に係る演奏システムおよび演奏モード設定方法について図面を用いて詳細に説明する。
【００２４】
（１）演奏システムの構成
図１は本発明の一実施の形態に係る演奏システムの構成を示すブロック図である。本実施の形態に係る演奏システムは、演奏教習システムである。
【００２５】
図１の演奏システムは、親機１および複数の子機２を含む。親機１は、教師（教習者または指導者）用の電子楽器３に接続されるとともに、ＬＡＮ（ローカルエリアネットワーク）等の通信ネットワーク５に接続される。各子機２は、生徒（被教習者または受講者）用の電子楽器４に接続されるとともに、通信ネットワーク５に接続される。親機１および子機２の各々には、後述するように、一または複数のヘッドセットが接続可能である。各子機２には、その子機２を他の子機２から識別するための子機識別子が割り当てられる。
【００２６】
電子楽器３，４は、例えば電子ピアノ等の電子鍵盤楽器である。電子楽器３，４の各々は、主として、鍵盤等の演奏操作子、複数のスイッチ等の設定操作子、表示器、音源、音響効果部、サウンドシステム、ＣＰＵ（中央演算処理装置）、ＲＡＭ（ランダムアクセスメモリ）、ＲＯＭ（リードオンリメモリ）、通信Ｉ／Ｆ（インタフェース）および記憶装置を含む。
【００２７】
演奏教習時には、各子機２は、生徒による電子楽器４の演奏を示す演奏データを親機１または他の子機２に送信するとともに、生徒の声を示す音声データを親機１または他の子機２に送信する。親機１は、教師による電子楽器３の演奏を示す演奏データを各子機２に送信するとともに、教師の声を示す音声データを各子機２に送信する。
【００２８】
各子機２は、電子楽器４の演奏モードをソロモード（通常演奏モード）およびデュオモードに選択的に設定することができる。ソロモードでは、鍵盤が複数の鍵域に分割されない状態で一人の演奏者が鍵盤の全体を用いて演奏することができる。デュオモードでは、鍵盤がスプリットポイントで左鍵域と右鍵域とに分割され、二人の演奏者がそれぞれ左鍵域および右鍵域を用いて演奏することができる。したがって、各子機２は、対応する電子楽器４の演奏モードを設定する演奏モード設定装置である。
【００２９】
親機１は、デュオモードに設定された電子楽器４の分割された左鍵域および右鍵域を用いた演奏による演奏データを同時または選択的に受信することができる。また、親機１は、子機２に接続された２つのヘッドセットの各々と音声データの送受信を同時または選択的に行うことができる。この場合、子機２は、演奏データまたは音声データを親機１に送信するとともに、演奏データまたは音声データの発生元を識別するための識別情報を子機２に送信する。
【００３０】
（２）親機１および子機２の構成
図２は親機１および子機２の構成を示すブロック図である。図２には、１つの子機２の構成のみが示される。
【００３１】
親機１は、操作パネル１１、ＣＰＵ１２、ＲＡＭ１３、ＲＯＭ１４、通信Ｉ／Ｆ１５、表示器１６、記憶装置１７およびバス１８を含む。操作パネル１１、ＣＰＵ１２、ＲＡＭ１３、ＲＯＭ１４、通信Ｉ／Ｆ１５、表示器１６および記憶装置１７は、バス１８に接続される。操作パネル１１は、種々の操作スイッチ等を含む。また、操作パネル１１は、一またはヘッドセット等を接続可能な接続部を有する。記憶装置１７は、ハードディスク、光学ディスク、磁気ディスクまたはメモリカード等の記憶媒体を含む。この記憶装置１７には、演奏モード設定プログラム等のコンピュータプログラムが記憶される。
【００３２】
ＲＡＭ１３は、例えば揮発性メモリからなり、ＣＰＵ１２の作業領域として用いられるとともに、各種データを一時的に記憶する。ＲＯＭ１４は、例えば不揮発性メモリからなり、制御プログラムを記憶する。ＲＯＭ１４が演奏モード設定プログラム等のコンピュータプログラムを記憶してもよい。ＣＰＵ１２は、記憶装置１７またはＲＯＭ１４に記憶された演奏モード設定プログラムを実行することにより後述する演奏モード設定方法を実施する。
【００３３】
通信Ｉ／Ｆ１５は、電子楽器３および通信ネットワーク５に接続され、ＣＰＵ１２と電子楽器３との間の通信およびＣＰＵ１２と子機２との間の通信を行う。表示器１６は、例えば液晶ディスプレイを含む。表示器１６には、子機２に関する各種情報が表示される。表示器１６がタッチパネルディスプレイであってもよい。この場合、操作パネル１１の一部が表示器１６に表示されてもよい。使用者は、表示器１６を操作することにより各種操作を指示することができる。
【００３４】
子機２は、親機１と同様に、操作パネル２１、ＣＰＵ２２、ＲＡＭ２３、ＲＯＭ２４、通信Ｉ／Ｆ２５、表示器２６、記憶装置２７およびバス２８を含む。操作パネル２１、ＣＰＵ２２、ＲＡＭ２３、ＲＯＭ２４、通信Ｉ／Ｆ２５、表示器２６および記憶装置２７は、バス２８に接続される。操作パネル２１は、種々の操作スイッチ等を含む。また、操作パネル２１は、一または複数のヘッドセット、ヘッドフォン等を接続可能な接続部を有する。記憶装置２７は、ハードディスク、光学ディスク、磁気ディスクまたはメモリカード等の記憶媒体を含む。この記憶装置２７には、演奏モード設定プログラム等のコンピュータプログラムが記憶される。
【００３５】
ＲＡＭ２３は、例えば揮発性メモリからなり、ＣＰＵ２２の作業領域として用いられるとともに、各種データを一時的に記憶する。ＲＯＭ２４は、例えば不揮発性メモリからなり、制御プログラムを記憶する。ＲＯＭ２４が演奏モード設定プログラム等のコンピュータプログラムを記憶してもよい。ＣＰＵ２２は、記憶装置２７またはＲＯＭ２４に記憶された演奏モード設定プログラムを実行することにより後述する演奏モード設定方法を実施する。
【００３６】
通信Ｉ／Ｆ２５は、電子楽器４および通信ネットワーク５に接続され、ＣＰＵ２２と電子楽器４との間の通信およびＣＰＵ２２と親機１との間の通信を行う。表示器２６は、例えば液晶ディスプレイを含む。表示器２６には、各種情報が表示される。表示器２６がタッチパネルディスプレイであってもよい。この場合、操作パネル２１の一部が表示器２６に表示されてもよい。使用者は、表示器２６を操作することにより各種操作を指示することができる。
【００３７】
演奏モード設定プログラムは、コンピュータが読み取り可能な記録媒体に格納された形態で提供され、親機１および子機２の記憶装置１７，２７またはＲＯＭ１４，２４にインストールされてもよい。また、演奏モード設定プログラムが外部記憶装置に記憶されてもよい。さらに、通信ネットワークに接続されたサーバから配信された演奏モード設定プログラムが記憶装置１７，２７またはＲＯＭ１４，２４にインストールされてもよい。
【００３８】
（３）操作パネル
図３は子機２の操作パネル２１の一部を示す模式図である。子機２の操作パネル２１には、ヘッドセット用の主端子３１およびヘッドセット用の副端子３２が設けられている。主端子３１および副端子３２には、ヘッドセット５０の端子５１が差し込みおよび抜き取り可能である。それにより、子機２に１つまたは２つのヘッドセット５０を接続することができる。各ヘッドセット５０は、ヘッドフォン５２およびマイクロフォン５３を有する。各ヘッドセット５０は、親機１から送信される音声データまたは演奏データから生成される音響信号を受信する受信機能を有する受信器である。また、各ヘッドセット５０は、マイクロフォン５３から入力された音響信号を子機２に送信する送信機能を有する。
【００３９】
（４）親機１および子機２の機能的な構成
図４は親機１および子機２の機能的な構成を示すブロック図である。図４に示すように、子機２は、接続検出部２０１、モード判定部２０２、送信部２０３およびモード設定部２０４を含む。子機２の各構成部分（２０１〜２０４）の機能は、図１のＣＰＵ２２が記憶装置２７またはＲＯＭ２４に記憶された演奏モード設定プログラムを実行することにより実現される。
【００４０】
接続検出部２０１は、主端子３１および副端子３２の各々にヘッドセット５０が接続されているか否かを検出する。モード判定部２０２は、接続検出部２０１の検出結果に基づいて、演奏モードを判定する。具体的には、モード判定部２０２は、主端子３１にヘッドセット５０が接続されかつ副端子３２にヘッドセット５０が接続されていないことが検出された場合には、演奏モードをソロモードと判定する。なお、モード判定部２０２は、主端子３１にヘッドセット５０が接続されておらずかつ副端子３２にヘッドセット５０が接続されていることが検出された場合に演奏モードをソロモードと判定してもよい。一方、モード判定部２０２は、主端子３１および副端子３２にそれぞれヘッドセット５０が接続されていることが検出された場合には、演奏モードをデュオモードと判定する。送信部２０３は、モード判定部２０２により判定された演奏モードの通知を親機１に通信ネットワーク５を通して送信する。演奏モードの通知は、ソロモード設定通知またはデュオモード設定通知である。ソロモード設定通知およびデュオモード設定通知には、当該子機２に割り当てられた子機識別子が含まれる。後述するように、演奏モードの通知は、演奏モード通知データの送受信により行われる。また、送信部２０３は、各ヘッドセット５０から入力される音響信号に基づく音声データおよび電子楽器４から与えられる演奏データを親機１に送信する。モード設定部２０４は、モード判定部２０２により判定された演奏モードに電子楽器４を設定する。
【００４１】
親機１は、受信部１０１、モード判定部１０２、子機識別部１０３および表示制御部１０４を含む。親機１の各構成部分（１０１〜１０４）の機能は、図１のＣＰＵ１２が記憶装置１７またはＲＯＭ１４に記憶された演奏モード設定プログラムを実行することにより実現される。
【００４２】
受信部１０１は、子機２から通信ネットワーク５を通して送信された演奏モードの通知（ソロモード設定通知またはデュオモード設定通知）を受信する。また、受信部１０１は、子機２から送信される音声データおよび演奏データを受信する。モード判定部１０２は、受信部１０１により受信された演奏モードの通知に基づいて演奏モードを判定する。子機識別部１０３は、受信部１０１により受信された演奏モードの通知に含まれる子機識別子に基づいて演奏モードの通知を送信した子機２を識別する。表示制御部１０４は、表示器２６にモード判定部２０２により判定された演奏モードを示す表示を行わせる。この場合、表示制御部１０４は、表示器２６にソロモードに対応する第１の画像またはデュオモードに対応する第２の画像を表示させる。第１の画像および第２の画像については後述する。表示制御部１０４は、子機２に対応する電子楽器４がソロモードおよびデュオモードのいずれにも設定されずに使用されていない場合には、第３の画像を表示器１６に表示させる。この場合、表示制御部１０４は、子機識別部１０３により識別された子機２ごとに第１、第２または第３の画像を表示させる。
【００４３】
なお、図４の親機１および子機２の構成要素（１０１〜１０４，２０１〜２０４）の一部または全てが電子回路等のハードウエアにより実現されてもよい。
【００４４】
（５）親機１の表示器１６の表示例
図５は親機１の表示器１６の表示例を示す図である。表示器１６の画面には、複数の子機２に対応して複数の第１、第２または第３の画像が表示される。本実施の形態では、第１の画像としてソロアイコンＩＣ１が表示され、第２の画像としてデュオアイコンＩＣ２が表示される。また、第３の画像として子機不使用アイコンＩＣ０が表示される。ソロアイコンＩＣ１には、一人の人物画Ｐ１が含まれる。デュオアイコンＩＣ２には、二人の人物画Ｐ１，Ｐ２が含まれる。各ソロアイコンＩＣ１は、その子機２の主端子３１にヘッドセット５０が接続されることによりその子機２に接続された電子楽器４がソロモードに設定されていることを表す。各デュオアイコンＩＣ２は、その子機２の主端子３１および副端子３２にヘッドセット５０が接続されることによりその子機２に接続された電子楽器４がデュオモードに設定されていることを表す。各子機不使用アイコンＩＣ０は、その子機２に接続された電子楽器４が演奏教習に使用されていないことを表す。各子機２の使用者は、操作パネル２１を操作することにより自分の名前を入力することができる。入力された名前は、親機１に送信される。親機１と通信中の子機２に対応するソロアイコンＩＣ１またはデュオアイコンＩＣ２の外形は、太線で強調表示される。図５の例では、上から４番目および左から２番目のデュオアイコンＩＣ２に対応する子機２が通信中であることがわかる。なお、第４の画像としてソロアイコンＩＣ４が表示されてもよい。ソロアイコンＩＣ４には、一人の人物画Ｐ２が含まれる。各ソロアイコンＩＣ４は、その子機２の副端子３２にヘッドセット５０が接続されることによりその子機２に接続された電子楽器４がソロモードに設定されていることを表す。
【００４５】
図６はデュオアイコンＩＣ２の拡大図である。デュオアイコンＩＣ２では、例えば、二人の人物画Ｐ１，Ｐ２の下に演奏者の名前Ｎ１，Ｎ２が表示されている。それにより、親機１を使用する教師は、子機２に接続された電子楽器４がデュオモードに設定されていること、および子機２に接続された電子楽器４の二人の演奏者の名前を容易に把握することができる。なお、ソロアイコンＩＣ１の人物画Ｐ１の下に演奏者の名前が表示されてもよく、ソロアイコンＩＣ４の人物画Ｐ２の下に演奏者の名前が表示されてもよい。
【００４６】
子機２から親機１に左鍵域または右鍵域の演奏による演奏データまたは一方のヘッドセット５０からの音声データが親機１に送信された場合には、表示器１６には、識別情報に基づいて、演奏データまたは音声データの発生元に対応する人物画Ｐ２が他方の人物画Ｐ１と異なる態様で表示される。例えば、演奏データまたは音声データの発生元に対応する人物画Ｐ２が他の人物画Ｐ１と異なる色で表示され、または点滅表示される。演奏データまたは音声データの発生元に対応する人物画Ｐ２が他の人物画Ｐ１と異なる形状を有するように表示されてもよい。ここで、発生元とは、左鍵域または右鍵域のいずれか一方、主端子３１または副端子３２のいずれか一方、または左の演奏者のヘッドセット５０または右の演奏者のヘッドセット５０のいずれか一方に相当する。
【００４７】
子機２から親機１に左鍵域および右鍵域の演奏による演奏データまたは両方のヘッドセット５０からの音声データが親機１に送信された場合には、表示器１６には、演奏データまたは音声データの発生元に対応する人物画Ｐ１，Ｐ２が演奏データおよび音声データの未送信時と異なる態様で表示される。
【００４８】
（６）演奏モード設定方法の一例
次に、親機１および子機２による演奏モード設定方法について説明する。演奏モード設定方法は、子機２の処理と親機１の処理とを含む。図７は演奏モード通知データの一例を示す模式図である。図８は子機２の処理を示すフローチャートである。図９は親機１の処理を示すフローチャートである。図８の処理は、図２のＣＰＵ２２が記憶装置２７またはＲＯＭ２４に記憶された演奏モード設定プログラムを実行することにより行われる。図９の処理は、図２のＣＰＵ１２が記憶装置１７またはＲＯＭ１４に記憶された演奏モード設定プログラムを実行することにより行われる。
【００４９】
図７に示す演奏モード通知データＭＤは、例えばＭＩＤＩ（Musical Instruments Digital Interface）メッセージである。演奏モード通知データＭＤは、現在の時刻を示すタイムスタンプ３０１、子機識別子３０２、モード切替指示３０３およびソロ／デュオ３０４をそれぞれ示す数値データを含む。ソロ／デュオ３０４が「ソロ」を示す数値である場合には、演奏モード通知データＭＤはソロモード設定通知である。ソロ／デュオ３０４が「デュオ」を示す数値である場合には、演奏モード通知データＭＤはデュオモード設定通知である。
【００５０】
図８に示すように、図４の接続検出部２０１は、主端子３１および副端子３２の各々にヘッドセット５０が接続されているか否かを検出する（ステップＳ１）。ヘッドセット５０の接続が検出されない場合には、モード判定部２０２は、接続検出部２０１によりヘッドセット５０の接続が検出されるまで待機する。
【００５１】
ヘッドセット５０の接続が検出された場合には、モード判定部１０２は、主端子３１および副端子３２の両方にヘッドセット５０が接続されているか否かを判定する（ステップＳ２）。主端子３１および副端子３２の両方にヘッドセット５０が接続されている場合には、モード設定部２０４は電子楽器４をデュオモードに設定する（ステップＳ３）。送信部２０３は、通信ネットワーク５を通して親機１にデュオモード設定通知を送信する（ステップＳ４）。
【００５２】
モード判定部１０２は、ヘッドセット５０が子機２から取り外されたか否かを判定する（ステップＳ５）。いずれのヘッドセット５０も子機２から取り外されていない場合には、モード判定部１０２は待機する。少なくとも一方のヘッドセット５０が子機２から取り外された場合には、モード判定部１０２は、両方のヘッドセット５０が子機２から取り外されたか否かを判定する（ステップＳ６）。両方のヘッドセット５０が子機２から取り外された場合には、送信部２０３は、教習の終了を示す教習終了信号を通信ネットワーク５を通して親機１に送信し（ステップＳ７）、ステップＳ１に戻る。
【００５３】
ステップＳ２において主端子３１および副端子３２の両方にヘッドセット５０が接続されていない場合（主端子３１および副端子３２の一方にヘッドセット５０が接続されかつ他方にヘッドセット５０が接続されていない場合）には、モード判定部２０２は電子楽器４をソロモードに設定する（ステップＳ８）。本実施の形態では、モード設定部２０４は、主端子３１のみにヘッドセット５０が接続されている場合に、電子楽器４をソロモードに設定する。なお、モード設定部２０４は、副端子３２のみにヘッドセット５０が接続されている場合に、電子楽器４をソロモードに設定してもよい。送信部２０３は、通信ネットワーク５を通して親機１にソロモード設定通知を送信する（ステップＳ９）。
【００５４】
モード判定部２０２は、ヘッドセット５０が子機２から取り外されたか否かを判定する（ステップＳ１０）。ヘッドセット５０が子機２から取り外されていない場合には、モード判定部２０２はステップＳ１に戻る。ヘッドセット５０が子機２から取り外された場合には、モード判定部２０２は、ステップＳ７に進み、教習終了信号を通信ネットワーク５を通して親機１に送信する。
【００５５】
ステップＳ６において両方のヘッドセット５０が子機２から取り外されていない場合（一方のヘッドセット５０のみが子機２から取り外された場合）には、モード判定部２０２はステップＳ８に進む。
【００５６】
このようにして、子機２に２つのヘッドセット５０が接続されている場合には、その子機２に対応する電子楽器４がデュオモードに設定されるとともに、その子機２から親機１にデュオモード設定通知が送信される。一方、子機２に１つのヘッドセット５０のみが接続されている場合には、その子機２に対応する電子楽器４がソロモードに設定されるとともに、その子機２から親機１にソロモード設定通知が送信される。
【００５７】
図４の親機１の受信部１０１は、子機２から送信された演奏モードの通知を受信する。図９に示すように、モード判定部１０２は、受信部１０１が演奏モードの通知としてデュオモード設定通知を受信したか否かを判定する（ステップＳ２１）。受信部１０１がデュオモード設定通知を受信した場合には、子機識別部１０３は、デュオモード設定通知に含まれる子機識別子に基づいてデュオモード設定通知を送信した子機２を識別する（ステップＳ２２）。表示制御部１０４は、表示器１６に子機２に対応するデュオアイコンＩＣ２を表示させる（ステップＳ２３）。
【００５８】
モード判定部１０２は、受信部１０１が教習終了信号を受信したか否かを判定する（ステップＳ２４）。受信部１０１が教習終了信号を受信した場合には、表示制御部１０４は、表示器１６に子機２に対応する子機不使用アイコンＩＣ０を表示させ（ステップＳ２５）、ステップＳ２１に戻る。
【００５９】
ステップＳ２１において受信部１０１がデュオモード設定通知を受信していない場合には、モード判定部１０２は、受信部１０１がソロモード設定通知を受信したか否かを判定する（ステップＳ２６）。受信部１０１がソロモード設定通知を受信した場合には、子機識別部１０３はソロモード設定通知に含まれる子機識別子に基づいてソロモード設定通知を送信した子機２を識別する（ステップＳ２７）。表示制御部１０４は、表示器１６に子機２に対応するソロアイコンＩＣ１を表示させ（ステップＳ２８）、ステップＳ２４に進む。
【００６０】
ステップＳ２６において受信部１０１がソロモード設定通知を受信していない場合には、モード判定部１０２はステップＳ２５に進む。
【００６１】
このようにして、子機２に対応する電子楽器４がデュオモードに設定された場合には、親機１の表示器１６に子機２に対応するデュオアイコンＩＣ２が表示される。子機２に対応する電子楽器４がソロモードに設定された場合には、親機１の表示器１６に子機２に対応するソロアイコンＩＣ１が表示される。子機２に対応する電子楽器４がデュオモードおよびソロモードに設定されない場合には、親機１の表示器１６に子機２に対応する子機不使用アイコンＩＣ０が表示される。
【００６２】
なお、図８のステップＳ３，Ｓ４の順序は逆であってもよく、またはステップＳ３，Ｓ４が同時に行われてもよい。また、図８のステップＳ８，Ｓ９の順序は逆であってもよく、ステップＳ８，Ｓ９が同時に行われてもよい。
【００６３】
（７）実施の形態の効果
本実施の形態によれば、各子機２は各電子楽器４に対応して設けられ、親機１と通信可能である。複数人の生徒が子機２の接続部である主端子３１および副端子３２に受信器であるヘッドセット５０をそれぞれ接続することができる。子機２に複数のヘッドセット５０が接続されている否かがモード設定部２０４により判定される。子機２に複数のヘッドセット５０が接続されていると判定された場合には、モード設定部２０４により子機２に接続される電子楽器４がデュオモードに設定される。それにより、複数人の生徒が子機２に複数のヘッドセット５０を接続することにより１台の電子楽器４を用いて演奏を行うことができる。したがって、複数人での電子楽器３の演奏を円滑に開始することを可能になる。
【００６４】
また、送信部２０３により親機１にデュオモード設定通知が送信されるので、教師は子機２に対応する電子楽器４がデュオモードに設定されたことを容易に認識することができる。
【００６５】
また、本実施の形態では、デュオモードにおいて電子楽器４の鍵盤が複数の鍵域（左鍵域および右鍵域）に分割される。それにより、複数人の生徒がそれぞれの鍵域を用いて同時に演奏を行うことができる。
【００６６】
さらに、本実施の形態では、親機１は、表示器１６を有するか表示器１６に接続可能である。この場合、送信部２０３により送信されたデュオモード設定通知が受信部１０１により受信された場合に、表示制御部１０４により表示器１６にデュオモード設定通知を示す表示が行われる。それにより、親機１を有する教師は、子機２に対応する電子楽器４がデュオモードに設定されていることを視覚的に認識することができる。
【００６７】
また、本実施の形態では、子機２に受信器である１つのヘッドセット５０が接続されたとモード設定部２０４により判定された場合に、ソロモード設定通知が送信部２０３により親機１に送信される。受信部１０１によりソロモード設定通知が受信された場合、表示制御部１０４により表示器１６にソロモードに対応する第１の画像が表示される。また、受信部１０１によりデュオモード設定通知が受信された場合、表示制御部１０４により表示器１６にデュオモードに対応する第２の画像が表示される。それにより、教師は、子機２に対応する電子楽器４がソロモードに設定されているかまたはデュオモードに設定されているかを視覚的に認識することができる。
【００６８】
また、本実施の形態では、第１の画像は一人を表す人物画Ｐ１を含むソロアイコンＩＣ１であり、第２の画像は二人を表す人物画Ｐ１，Ｐ２を含むデュオアイコンＩＣ２である。それにより、教師は、子機２に対応する電子楽器４がソロモードに設定されているかまたはデュオモードに設定されているかを視覚的かつ容易に認識することができる。
【００６９】
さらに、本実施の形態では、子機２に対応する電子楽器４がデュオモードに設定された場合に、複数人の生徒の各々の行為に起因して発生するデータ（音声データまたは演奏データ）が親機１に送信されるとともに、送信されるデータの発生元を示す識別情報が親機１に送信される。それにより、親機１は、受信したデータが電子楽器４を演奏する複数人の生徒のうちいずれの生徒からのデータであるかを容易に認識することができる。ここで、本実施の形態において、生徒の行為とは、その生徒に対応する鍵域を用いての演奏、またはその生徒が装着するヘッドセット５０への発声をいう。
【００７０】
また、本実施の形態では、親機１に電子楽器３が接続されているので、教師による電子楽器３の演奏により生成される演奏データを子機２に送信することができる。それにより、子機２に対応する電子楽器４を演奏する一人または二人の生徒がヘッドセット５０により教師の演奏を聴くことができる。また、親機１にヘッドセットが接続可能であるので、教師の声での指示または指導等を音声データとして親機１から子機２に送信することができる。それにより、生徒は、ヘッドセット５０により教師の声での指示または指導等を聞くことができる。さらに、各生徒の演奏による演奏データが子機２から親機１に送信されるので、教師は、ヘッドセットにより各生徒の演奏を聴くことができる。また、各生徒は、ヘッドセット５０を用いて声での質問等を行うことによりその声を音声データとして親機１に送信することができる。それにより、教師は、ヘッドセットにより各生徒の質問等の声を聞くことができる。
【００７１】
（８）他の実施の形態
上記実施の形態では、子機２に一または複数の受信器として一または複数のヘッドセット５０が接続されるが、少なくとも受信機能を有する他の一または複数の受信器が接続されてもよい。例えば、一または複数のヘッドセット５０の代わりに子機２に一または複数のヘッドフォンが接続されてもよく、あるいは一または複数のイヤフォンが接続されてもよい。この場合には、教師の声または教師による電子楽器３の演奏音がヘッドフォンまたはイヤフォンから出力される。また、一または複数のヘッドセット５０の代わりに子機２に一または複数の携帯端末または一または複数のＵＳＢ（Universal Serial Bus）機器が接続されてもよい。この場合には、教師の声または教師による電子楽器３の演奏音が携帯端末またはＵＳＢ機器から出力されるか、教師による指示等が携帯端末の画面またはＵＳＢ機器の画面に表示される。
【００７２】
上記実施の形態では、子機２の主端子３１または副端子３２にヘッドセット５０が直接接続されるが、子機２に一または複数のヘッドセット５０等の受信器が無線通信により接続されてもよい。例えば、子機２に一または複数のブルートゥース（Bluetooth（登録商標））イヤフォンがペアリングにより接続されてもよい。
【００７３】
上記実施の形態では、各子機２がモード判定部２０２を含むが、演奏システムにおいて複数の子機２とは別個にモード設定部が設けられてもよい。この場合、モード判定部は、各子機２の接続検出部２０１の検出結果に基づいて各子機２に対応する演奏モードを判定する。また、親機１がモード設定部２０４を含んでもよい。この場合、親機１のモード判定部１０２は、各子機２の接続検出部２０１の検出結果を受信することにより各子機２に対応する演奏モードを判定する。
【００７４】
上記実施の形態では、各子機２が送信部２０３を含むが、演奏システムにおいて複数の子機２とは別個に送信部２０３が設けられてもよい。この場合、送信部は、各子機２のモード設定部２０４または複数の子機２とは別個のモード判定部の判定結果に基づいて親機１にソロモード設定通知またはデュオモード設定通知を送信する。
【００７５】
上記実施の形態では、子機２に複数のヘッドセット５０が接続された場合に親機１にデュオモード設定通知が送信され、子機２に１つのみのヘッドセット５０が接続された場合に親機１にソロモード設定通知が送信されるが、子機２に１つのみのヘッドセット５０が接続された場合に親機１にソロモード設定通知が送信されないでもよい。この場合、親機１は、デュオモード設定通知を受信しない場合には、子機２がソロモードに設定されているとみなすことができる。
【００７６】
上記実施の形態では、子機２に複数のヘッドセット５０が接続された場合に親機１に対応する表示器１６に第２の画像が表示されるが、子機２に複数のヘッドセット５０が接続された場合に親機１に対応する表示器１６に子機２がデュオモードに設定されたことを示す他の表示が行われてもよい。例えば、子機２がデュオモードに設定されたことを示す文字または他の図形等の他の情報が表示されてもよい。また、子機２がデュオモードに設定されたことを示すランプが点灯してもよく、子機２がデュオモードに設定されたことを示す音声が出力されてもよい。
【００７７】
上記実施の形態では、親機１が表示器１６を含むが、親機１が表示器１６を含まず、親機１が外部の表示器に接続されてもよい。この場合、親機１は第１または第２の画像を外部の表示器に表示させることができる。上記実施の形態では、ソロアイコンＩＣ１およびデュオアイコンＩＣ２内の人物画Ｐ１，Ｐ２が簡略的な図形で表されるが、ソロアイコンＩＣ１およびデュオアイコンＩＣ２内の人物画Ｐ１，Ｐ２の代わりに人物の写真が表示されてもよい。上記実施の形態では、各子機２に接続される電子楽器４を演奏する一人または二人の演奏者を識別するために演奏者により入力される識別情報が用いられるが、電子楽器４の周辺に配置されたカメラまたはセンサにより一人または二人の演奏者が識別されてもよい。
【００７８】
上記実施の形態では、親機１および各子機２がそれぞれ電子楽器３，４に接続されているが、親機１および各子機２が電子楽器３，４内にそれぞれ設けられていてもよい。上記実施の形態では、親機１に電子楽器３が接続されるが、親機１に電子楽器３が接続されなくてもよい。
【００７９】
上記実施の形態では、電子楽器３，４が鍵盤楽器であるが、電子楽器３，４が複数人で演奏可能な他の電子楽器であってもよい。例えば、電子楽器３，４がドラムセットであってもよい。
【００８０】
（９）請求項の各構成要素と実施の形態の各要素との対応
以下、請求項の各構成要素と実施の形態の各要素との対応の例について説明する。上記実施の形態では、モード判定部２０２が判定部の例であり、モード設定部２０４が設定部の例であり、主端子３１および副端子３２が接続部の例であり、ソロモードが第１のモードの例であり、デュオモードが第２のモードの例であり、ソロアイコンＩＣ１が第１の画像または第１のアイコンの例であり、デュオアイコンＩＣ２が第２の画像または第２のアイコンの例である。請求項の各構成要素として、請求項に記載されている構成または機能を有する他の種々の要素を用いることもできる。
【符号の説明】
【００８１】
１…親機，２…子機，３，４…電子楽器，５…通信ネットワーク，１１，２１…操作パネル，１２，２２…ＣＰＵ，１３，２３…ＲＡＭ，１４，２４…ＲＯＭ，１５，２５…通信Ｉ／Ｆ，１６，２６…表示器，１７，２７…記憶装置，１８，２８…バス，３１…主端子，３２…副端子，５０…ヘッドセット，５１…端子，５２…ヘッドフォン，５３…マイクロフォン，１０１…受信部，１０２，２０２…モード判定部，１０３…子機識別部，１０４…表示制御部，２０１…接続検出部，２０３…送信部，２０４…モード設定部，ＩＣ０…子機不使用アイコン，ＩＣ１，ＩＣ４…ソロアイコン，ＩＣ２…デュオアイコン，Ｎ１，Ｎ２…名前，Ｐ１，Ｐ２…人物画
【図１】
2020118813.tif 000003
【図２】
2020118813.tif 000004
【図３】
2020118813.tif 000005
【図４】
2020118813.tif 000006
【図５】
2020118813.tif 000007
【図６】
2020118813.tif 000008
【図７】
2020118813.tif 000009
【図８】
2020118813.tif 000010
【図９】
2020118813.tif 000011